(57)【特許請求の範囲】
【請求項１】
メインプレートと該メインプレートを開閉するゲートプレートとにより形成された硬貨通路であって、硬貨投入口に直接連通し略垂直下方へ向け形成された硬貨通路と、該硬貨通路の下方に配設され、該硬貨通路を介し落下する液物を捕集する液物捕集部と、該液物捕集部に連通する液物排出通路とを有する硬貨選別装置において、
前記ゲートプレートの上流に液物流入孔を形成するとともに、下流に液物流出孔を形成し、また前記ゲートプレートの背面に前記液物流入孔から前記液物流出孔へ向け流れる液物を通過させる液物流通路を形成し、
さらに、前記液物流出孔は前記液物捕集部へ向け形成され、該液物流出孔から落下する液物を前記液物捕集部を経由して前記液物排出通路から排出させるようにしたことを特徴とする硬貨選別装置。
【請求項２】
メインプレートと該メインプレートを開閉するゲートプレートとにより形成された硬貨通路であって、硬貨投入口に直接連通し略垂直下方へ向け形成された硬貨通路と、該硬貨通路の下方に配設され、該硬貨通路を介し落下する液物を捕集する液物捕集部と、該液物捕集部に連通する液物排出通路とを有する硬貨選別装置において、
前記ゲートプレートの上流に液物流入孔を形成するとともに、下流に液物流出孔を形成し、また前記ゲートプレートの背面に前記液物流入孔から前記液物流出孔へ向け流れる液物を通過させる液物流通路を形成し、
さらに、前記液物流出孔は前記液物排出通路へ向け形成され、該液物流出孔から落下する液物を前記液物捕集部を経由することなく前記液物排出通路から排出させるようにしたことを特徴とする硬貨選別装置。
【請求項３】
メインプレートと該メインプレートを開閉するゲートプレートとにより形成された硬貨通路であって、硬貨投入口に直接連通し略垂直下方へ向け形成された硬貨通路と、該硬貨通路の下方に配設され、該硬貨通路を介し落下する液物を捕集する液物捕集部と、該液物捕集部に連通する液物排出通路とを有する硬貨選別装置において、
前記ゲートプレートの上流に液物流入孔を形成するとともに、下流に液物流出孔を形成し、また前記ゲートプレートの背面に前記液物流入孔から前記液物流出孔へ向け流れる液物を通過させる液物流通路を形成し、
さらに、前記液物流出孔は前記液物捕集部と前記液物排出通路とへ向けそれぞれ形成され、前記液物捕集部へ向け形成された前記液物流出孔から落下する液物を、前記液物捕集部を経由して前記液物排出通路から排出させるとともに、前記液物排出通路へ向け形成された前記液物流出孔から落下する液物を前記液物捕集部を経由することなく前記液物排出通路から排出させるようにしたことを特徴とする硬貨選別装置。
【発明の詳細な説明】
【０００１】
【発明の属する技術分野】
この発明は、自動販売機、両替機、サービス機器等に使用される硬貨選別装置に関する。
【０００２】
【従来の技術】
一般に、硬貨選別装置では、装置本体内に投入された硬貨を正貨と偽貨とに振り分け、また正貨と見なされた硬貨を金種別に振り分けるための複雑な硬貨通路を有している。またこのように複雑に形成された硬貨通路の一部には、例えば発振コイルと受信コイルとからなる硬貨判別装置および硬貨を所定の硬貨通路に振り分ける複数のレバーおよびそれを駆動するソレノイド等の各種の選別機器が配置されており、投入された硬貨はそれぞれ所定の硬貨通路内を転動しつつ通過する間に、正偽貨の選別と正貨の金種別振分けとが行われ、偽貨を所定の硬貨通路へ、また正貨を金種別に形成された所定の硬貨通路へそれぞれ振分け案内させるようにしている。
【０００３】
ところで、上述した硬貨選別装置では、装置本体内に複雑な硬貨通路が形成され、投入硬貨はこの硬貨通路内を転動することから、例えば、硬貨投入口から清涼飲料水、洗剤等の液物が流し込まれると、その液物も硬貨通路に沿って装置本体内に流れ込んでしまう。
【０００４】
そしてこのような洗剤等の粘着質な液物が硬貨通路内を流れると、その液物は硬貨通路に介在された硬貨振分レバー等の選別機器等に付着し、その作動を不良ならしめ、選別機能の低下を招来させる虞があった。
【０００５】
また、これらの選別機器に付着した粘着質な液物が乾燥すると、これら選別機器の作動をロックさせることもあり、このため硬貨選別装置そのものの機能が停止してしまうばかりか、金種別に振り分けられた正貨を収容するコインチューブ側にまで液物が流入して、その周辺に配設された電子回路及びモータ等の電機部品がショートして誤動作する等の問題点もあった。
【０００６】
そこで本願出願人は、先に特開平２−７６０９２号公報に開示したように、硬貨投入口と、この硬貨投入口に直接連通し略垂直下方へ向けて形成された硬貨通路とを形成するメインプレートおよび該メインプレートを開閉するゲートプレートの双方にそれぞれ液物案内溝を形成し、硬貨投入口から投入された液物を、前記液物案内溝、該液物案内溝の下流に配設された液物捕集部、およびこの液物捕集部に連通する液物排出通路とを介し迅速に外部へ排出させる硬貨選別装置を提案した。
【０００７】
【発明が解決しようとする課題】
ところが、上述したメインプレートとゲートプレートにそれぞれ液物案内溝を形成し、その下流に液物捕集部を形成したものであっても、大量に液物が硬貨投入口から投入されると、その液物が液物案内溝内から溢れだし、この溢れ出した液物が装置本体内へ流入してしまう虞があった。
【０００８】
また、メインプレートとゲートプレートにそれぞれ液物案内溝を形成したものでは、メインプレートとゲートプレートとの間を開いて、その間に詰まった硬貨を返却する際に、当該硬貨がメインプレートとゲートプレートにそれぞれ形成された液物案内溝間に嵌まり込み、返却することができなくなる虞があった。
【０００９】
この発明は上述した事情に鑑み、硬貨投入口から流入する液物を装置本体内へ流入させないようにした硬貨選別装置を提供することを目的とする。
【００１０】
【課題を解決するための手段】
上述した課題を解決するため、この発明では、メインプレートと該メインプレートを開閉するゲートプレートとにより形成された硬貨通路であって、硬貨投入口に直接連通し略垂直下方へ向け形成された硬貨通路と、該硬貨通路の下方に配設され、該硬貨通路を介し落下する液物を捕集する液物捕集部と、該液物捕集部に連通する液物排出通路とを有する硬貨選別装置において、前記ゲートプレートの上流に液物流入孔を形成するとともに、下流に液物流出孔を形成し、また前記ゲートプレートの背面に前記液物流入孔から前記液物流出孔へ向け流れる液物を通過させる液物流通路を形成し、さらに、前記液物流出孔は前記液物捕集部へ向け形成され、該液物流出孔から落下する液物を前記液物捕集部を経由して前記液物排出通路から排出させるようにしている。
【００１１】
【発明の実施の形態】
以下、この発明に係わる硬貨選別装置の一実施例を詳述する。
【００１２】
第１図はこの発明に係わる硬貨選別装置１の正面図である。
【００１３】
この硬貨選別装置１の装置本体２は、硬質の高分子材料で形成されたメインプレート３により構成されており、このメインプレート３の正面上部はこれも硬質の高分子材料で形成されたゲートプレート４により開閉自在に覆われている。
【００１４】
また前記メインプレート３の正面下部はフロントカバー５により開閉自在に覆われている。なお、このメインプレート３とフロントカバー５との間には複数本の硬貨通路が形成されている。
【００１５】
一方、ゲートプレート４およびフロントカバー５の一部を破断した硬貨選別装置１の要部破断正面図で示す図２のように、メインプレート３の上部とゲートプレート４との間には硬貨投入口Ｄが形成されており、またこの硬貨投入口Ｄの略垂直下方には、この硬貨投入口Ｄに直接連通し、当該硬貨投入口Ｄから投入された硬貨を略垂直下方へ案内する硬貨通路６が形成されている。
【００１６】
また、この硬貨通路６の下流端には、当該硬貨通路６を介し垂直に落下する硬貨を図面の右方向に転動させる傾斜した硬貨通路７が形成されている。なお、この硬貨通路７はゲートプレート４に配設された金属製のゲートレール８から構成されており、この硬貨通路７の途中には投入された硬貨の正偽、および正貨と見なされた硬貨の金種とを判別するコイルセンサ９が配設されている。
【００１７】
一方、この硬貨通路７の終端下方、すなわちメインプレート３と前記フロントカバー５との間には、投入された硬貨を前記コイルセンサ９の検出信号に応じ、金種毎に振り分ける図示せぬソレノイド等により構成された硬貨振り分け手段と、振り分けられた硬貨をそれぞれ金種別に案内する格別の硬貨通路が形成されている。
【００１８】
一方、硬貨投入口Ｄに直接連通し略垂直下方へ向けて形成された前記硬貨通路６を構成するメインプレート３とゲートプレート４のうち、メインプレート３側には硬貨投入口Ｄから投入された液物を塞止めつつ下流へ案内する複数の液物案内凹部１０と、この液物案内凹部１０の下流から延設された液物案内壁１１とが形成されている。なお、上述した複数の液物案内凹部１０は硬貨通路７の上流側へ向け傾斜して形成され、硬貨投入口Ｄから投入された液物が硬貨通路７の下流側へ向かわないように形成されている。
【００１９】
また前記液物案内壁１１は垂直下方へ向け形成され、その下流端を後述する液物捕集部の液物流入孔へ臨ませ、その液物案内壁１１間に液物案内通路１２を形成している。
【００２０】
一方、前記硬貨通路６の他方を構成するゲートプレート４には、その要部破断正面図で示す図３のように、硬貨通路６の上流側に断面円形の液物流入孔２０がその幅方向へ向けて３か所形成され、また硬貨通路６の下流側には後述する液物捕集部へ向け断面矩形状の液物流出孔２１が複数個形成されている。なお、実施例ではこの液物流出孔２１は、その幅方向へ向けて４か所形成されている。
【００２１】
なお、前記硬貨通路６の中流に位置するゲートプレート４には前記金属製のゲートレール８がスナップアクションで、ゲートレール嵌着孔２２内に着脱自在に装着されている。
【００２２】
一方、図１で示すように、ゲートプレート４の背面４ａ下部には断面略コの字形状のサブプレート２３が着脱自在に装着され、このサブプレート２３とゲートプレート背面４ａ下部との間に液物を大量に通過させる液物流通路３０が形成されている。
【００２３】
なお、図２に示すように、ゲートレール８の下方に位置する前記メインプレート３には硬貨通路６を伝わって落下する液物を捕集するボックス形状の液物捕集部４０が当該メインプレート３と一体に形成されている。
【００２４】
この液物捕集部４０はその上面４０ａに大小複数の液物流入孔４１が形成され、その下端左側方には捕集した液物を外部へ排出する液物排出通路４２が形成されている。
【００２５】
また、この液物捕集部４０内には、図１のＡＡ概念拡大断面図で示す図４のように、垂直下方へ向けてフィン４３が一体に形成され、落下した液物をスムーズに液物捕集部４０内に落下させるようにしている。
【００２６】
次に上述した硬貨選別装置１における液物の排出作用を説明する。
【００２７】
図４に示すように洗剤等の液物Ｆが硬貨投入口Ｄ内に流し込まれると、この液物Ｆの一部は対応する矢印Ｆ１で示すように、メインプレート３側に形成された複数の液物案内凹部１０、および液物案内壁１１間に形成された複数の液物案内通路１２、および液物捕集部４０の液物流入孔４１を介して液物捕集部４０内に落下し、その後、図２に示す通路４２を介して矢印Ｇの如く装置１の外部へ迅速に排出される。
【００２８】
一方、図４で示すように、硬貨投入口Ｄ内に流し込まれた液物Ｆのうちゲートプレート４に沿って下流へ案内される液物Ｆ２は、当該ゲートプレート４に形成された断面円形の液物流入孔２０等から流入し、その流入した液物Ｆ２はサブプレート２３とゲートプレート４との間に形成され、大量の液物を通過させる液物流通路３０内を通過し、その後、前記液物捕集部４０の上面４０ａへ向け形成された液物流出孔２１を介し矢印Ｆ３の如く液物捕集部４０内に落下し、その後、図２に示す液物排出通路４２を介して矢印Ｇの如く装置１の外部へ迅速に排出される。
【００２９】
したがって、上述した硬貨選別装置１によると、図４で示すように、硬貨投入口Ｄ内に流し込まれた液物Ｆのうち、ゲートプレート４に沿って下流へ案内された液物は、大量の液物を通過させる液物流通路３０、および液物流出孔２１を介し液物捕集部４０内に落下するため、大量に液物Ｆが硬貨投入口Ｄ内に流し込まれても、その液物は液物排出通路４２から迅速に排出され、このため硬貨通路６から溢れ出ることが可及的に低減されることとなる。
【００３０】
なお、上記実施例では、ゲートプレート４の液物流通路３０を流れる液物を液物捕集部４０へ一旦案内し、そこから液物排出通路４２を介し排出させるようにしたが、この発明は上記実施例に限定されることなく、液物流通路３０を介し流れる液物を液物捕集部４０を介することなく、直接メインプレート３に形成された液物排出通路４２へ案内させて排出させるようにしてもよい。
【００３１】
図５は、上述した他の実施例を示す硬貨選別装置５０の要部破断拡大図で、特に液物流通路３０を形成するサブプレート２３を取り除いた状態を示し、また図１乃至図４と同一部分を同一符号で示す。
【００３２】
この液物流通路３０内のゲートプレート４上方および下方には、当該ゲートプレート４と一体に図面の右から左へ向け傾斜した２本の液物案内リブ５１、５２が形成され、そのうち、上方の液物案内リブ５１は液物流通路３０の左側方３０ａにまでは至らず、そこに孔３０ｂを形成している。
【００３３】
また、液物流通路３０の左側方３０ａには、当該液物流通路３０を通過する液物を液物排出通路４２側へ落下させる液物流出孔５３が形成され、その底面５３ａは所定距離図面の左方へ延出され、その下面に断面楕円形状の液物案内突起５３ｂを液物排出通路４２側へ向け突設している。
【００３４】
一方、この硬貨選別装置５０では、図５のＢＢ断面で示す図６のように、液物排出通路４２の右側方に当該液物排出通路４２および液物捕集部４０と連通する液物収容凹部６０が形成され、その上方に形成された開口６０ａ内に前記液物案内突起５３ｂが臨んでいる。
【００３５】
なお、図５、図６で示すように、液物収容凹部６０の開口６０ａ背面にも、スリット６０ｂが形成されている。
【００３６】
このような、硬貨選別装置５０によると、メインプレート３側に流れる液物は、図５のＣＣ断面で示す図７の矢印Ｆ１で示すように、複数の液物案内凹部１０、および液物案内壁１１間に形成された複数の液物案内通路１２、および液物捕集部４０の液物流入孔４１を介して液物捕集部４０内に落下し、その後、図５で示す液物排出通路４２を介し排出される。
【００３７】
一方、この硬貨選別装置５０では、図７で示すように、硬貨投入口Ｄ内に流し込まれた液物Ｆのうちゲートプレート４に沿って下流へ案内される液物Ｆ２は、当該ゲートプレート４に形成された断面円形の液物流入孔２０およびゲートレール嵌着孔２２等を介しサブプレート２３とゲートプレート４との間に形成された液物流通路３０内に流入し、その後、液物Ｆ２は図５で示すように液物排出通路４２側へ向け形成された液物流出孔５３および液物案内突起５３ｂを介して液物収容凹部６０内にスムーズに落下し、直ちに液物排出通路４２を介し装置５０の外部へ迅速に排出される。なお、図５で示すように、液物収容凹部６０の開口６０ａからこぼれた液物Ｆ２も、開口６０ａの背面に形成されたスリット６０ｂを介して液物収容凹部６０内に落下し、これも液物排出通路４２を介し装置５０の外部へ迅速に排出されることとなる。
【００３８】
したがって、上述した硬貨選別装置５０によると、硬貨投入口Ｄ内に流し込まれた液物Ｆのうちゲートプレート４に沿って下流へ流れる液物Ｆ２は大量の液物を通過させる液物流通路３０を介し、直接液物排出通路４２へ案内され、そこから排出されるため、その液物排出処理が一層迅速に行われることとなる。
【００３９】
なお、上記各実施例のうち、図４で示す実施例ではゲートプレート４に形成された液物流通路３０の底部に液物捕集部４０へ向け液物Ｆ２を流出する液物流出孔２１を形成し、また、図５で示す実施例では、ゲートプレート４に形成された液物流通路３０の底部に液物排出通路４２側へ向け液物Ｆ２を流出する液物流出孔５３を形成するようにしたが、この発明は上記各実施例に限定されることなく、ゲートプレート４に形成された液物流通路３０の底部に、液物捕集部４０へ向け液物Ｆ２を流出する液物流出孔２１と、液物排出通路４２側へ向け液物Ｆ２を流出する液物流出孔５３の双方を形成するようにしてもよい。
【００４０】
【発明の効果】
以上説明したように、この発明の硬貨選別装置では、硬貨投入口に直接連通した硬貨通路を形成するゲートプレートの上流に液物流入孔を形成するとともに下流に液物流出孔を形成し、またこのゲートプレートの背面に液物流入孔から液物流出孔へ向け流れる液物を大量に通過させる液物流通路を形成したから、仮に洗剤等の粘着質の液物が硬貨投入口から大量に流し込まれても、その液物はゲートプレートの背面に形成された液物流通路を介し迅速に外部へ排出され、このため硬貨投入口に直接連通した硬貨通路から液物が溢れることを可及的に防止し、これにより液物が硬貨選別装置内に配設された各種の選別機器に付着することを可及的に阻止して、常に安定した選別機能を有する硬貨選別装置を提供することが出来る。
【００４１】
また、ゲートプレートには液物案内溝を形成しないようにしたから、メインプレートとゲートプレートとの間を開いて、その間に詰まった硬貨を返却する際に、当該詰まり硬貨がメインプレートとゲートプレート間に嵌まり込むことがなく、このためメインプレートとゲートプレートとの間を開くと、その間にに詰まった硬貨を確実に返却することができ、このため安定した詰まり硬貨返却機能を有する硬貨選別装置を提供することが出来る。
【図面の簡単な説明】
【図１】図１はこの発明に係わる硬貨選別装置の正面図。
【図２】図２は図１の要部破断面図。
【図３】図３はゲートプレートの要部破断面図。
【図４】図４は図１のＡＡ拡大断面図である。
【図５】図５は他の実施例を示す要部破断面図。
【図６】図６は図５のＢＢ概念断面図。
【図７】図７は図５のＣＣ概念断面図である。
【符号の説明】
１…硬貨選別装置
３…メインプレート
４…ゲートプレート
６…硬貨通路
２０…液物流入孔
２１、５３…液物流出孔
３０…液物流通路
４０…液物捕集部
４２…液物排出通路
Ｄ…硬貨投入口
【図１】
0003743592.tif 000002
【図２】
0003743592.tif 000003
【図３】
0003743592.tif 000004
【図４】
0003743592.tif 000005
【図５】
0003743592.tif 000006
【図６】
0003743592.tif 000007
【図７】
0003743592.tif 000008